(57)【要約】【課題】本発明の課題は、たとえば分筆、合筆が繰り返し行われ、沿革が複雑になっている土地に関する情報を容易に視認者が理解できる土地沿革調書を表示画面に表示または印刷することのできる土地沿革調書表示システムを提供することにある。【課題手段】本発明に係る土地沿革調書表示システムは、ある時期の地番に関する複数の土地データが、他の土地データと関連づけて記憶されてなる記憶手段、該記憶手段のデータを抽出し各種処理を行う処理手段、および、該処理手段からの要求に応じて所望の表示を行う表示手段を備え、前記処理手段は、一の土地データに関して表示手段における一の表示領域を設定するとともに、該土地データに関連づけられた他の土地データが存在する場合には表示手段における他の表示領域を設定するとともに、前記一の表示領域と前記他の表示領域とを接続する接続線をも表示するような処理を行うように設けられていることを特徴とする。【選択図】  図６
2006350482.tif 000002
【特許請求の範囲】
【請求項１】
ある時期の地番に関する複数の土地データが、他の土地データと関連づけて記憶されてなる記憶手段、該記憶手段のデータを抽出し各種処理を行う処理手段、および、該処理手段からの要求に応じて所望の表示を行う表示手段を備え、
前記処理手段は、一の土地データに関して表示手段における一の表示領域を設定するとともに、該土地データに関連づけられた他の土地データが存在する場合には表示手段における他の表示領域を設定するとともに、前記一の表示領域と前記他の表示領域とを接続する接続線をも表示するような処理を行うように設けられていることを特徴とする土地沿革調書表示システム。
【請求項２】
ある時期の地番に関する複数の土地データが、他の土地データと関連づけて記憶されてなる記憶手段、および、該記憶手段のデータを抽出し各種処理を行うとともに表示手段に対して所望の表示を行うように要求する処理を行う処理手段を備え、
前記処理手段は、一の土地データに関して表示手段における一の表示領域を設定するとともに、該土地データに関連づけられた他の土地データに表示手段における他の表示領域を設定するとともに、前記一の表示領域と前記他の表示領域とを接続する接続線をも表示するような処理を行うように設けられていることを特徴とする土地沿革調書表示システム。
【請求項３】
請求項１または２記載の土地沿革調書表示システムであって、
前記記憶手段には、分筆前の土地データと、この土地データが分筆された変更要因データと、この分筆後の複数の土地データに関するデータとが関連づけて記憶されており、
前記処理手段は、前記土地データに関して表示手段における表示領域を設定する際に、該土地データの変更要因データを認識して分筆後の土地データの表示領域を前記分筆前の土地データの表示領域よりも下流にそれぞれ設定するとともに、前記接続線を前記分筆前の土地データよりも下流側において分岐せしめて表示するような処理を行うことを特徴とする土地沿革調書表示システム。
【請求項４】
請求項１乃至３の何れかに記載の土地沿革調書表示システムであって、
前記記憶手段には、合筆後の土地データと、この土地データに合筆された変更要因データと、この合筆前の複数の土地データに関するデータとが関連づけて記憶されており、
前記処理手段は、土地データに関して表示手段における表示領域を設定する際に、該土地データの合筆に関する変更要因データを認識して該変更要因データに関する表示も行うような処理を行うことを特徴とする土地沿革調書表示システム。
【請求項５】
請求項４記載の土地沿革調書表示システムであって、
前記処理手段は、合筆前の複数の土地データのうち一つの土地データの表示領域と、合筆後の土地データの表示領域とを前記接続線により接続するように表示するとともに、前記合筆前の複数の土地データのうち他の土地データの表示領域に関して合筆され閉鎖されたことを示す表示を行うように設けられていることを特徴とする土地沿革調書表示システム。
【請求項６】
請求項１乃至３の何れかに記載の土地沿革調書表示システムであって、
前記記憶手段には、合筆後の土地データと、この土地データに合筆された変更要因データと、この合筆前の複数の土地データに関するデータとが関連づけて記憶されており、
前記処理手段は、前記土地データに関して表示手段における表示領域を設定する際に、該土地データの変更要因データを認識して合筆前の複数の土地データの表示領域を合筆後の土地データの表示領域よりも上流にそれぞれ設定するとともに、前記接続線を合筆後の土地データの表示領域よりも上流側において分岐せしめて表示するような処理を行うことを特徴とする土地沿革調書表示システム。
【請求項７】
請求項３乃至６の何れかに記載の土地沿革調書表示システムであって、
前記記憶手段には、前記変更要因データとして、該土地データに分筆または合筆された時期に関する分筆・合筆時期データが記憶されており、
前記処理手段は、前記表示手段において分筆・合筆時期データも表示するような処理を行うことを特徴とする土地沿革調書表示システム。
【請求項８】
請求項１乃至７の何れかに記載の土地沿革調書表示システムであって、
前記記憶手段には、一定地域の土地データが他の地域の土地データと区分けされて記憶されており、
前記処理手段は、前記一定地域の土地データを一括で表示手段に表示するように設けられていることを特徴とする土地沿革調書表示システム。
【請求項９】
請求項１乃至８の何れかに記載の土地沿革調書表示システムであって、
前記記憶手段には、一定地域の土地データが他の地域の土地データと区分けされて記憶されているとともに、この一定地域の時期ごとの地図データが記憶されており、
前記処理手段は、作業者の要求に応じて前記地図データを表示手段に表示させるように設けられていることを特徴とする土地沿革調書表示システム。
【請求項１０】
請求項１乃至９の何れかに記載の土地沿革調書表示システムであって、
前記処理手段は、前記接続線の表示長さを変更可能に設けられていることを特徴とする土地沿革調書表示システム。
【請求項１１】
請求項１乃至１０の何れかに記載の土地沿革調書表示システムであって、
前記記憶手段には、前記土地データとして、この土地の面積に関する面積データが記憶されており、
前記処理手段は、土地データの表示手段における一の表示領域を設定する際に、前記面積データを認識して、該土地データの表示領域、または、この表示領域近傍に、土地の面積をも表示するような処理を行うことを特徴とする土地沿革調書表示システム。
【請求項１２】
請求項１乃至１１の何れかに記載の土地沿革調書表示システムであって、
前記記憶手段には、前記土地データとして、この土地の所有者に関する所有者データが記憶されており、
前記処理手段は、土地データの表示手段における一の表示領域を設定する際に、前記所有者データを認識して、該土地データの表示領域、または、この表示領域近傍に、土地の所有者をも表示するような処理を行うことを特徴とする土地沿革調書表示システム。
【請求項１３】
請求項１２記載の土地沿革調書表示システムであって、
前記処理手段は、土地データの表示手段における表示領域のうち、特定の所有者の土地データについて、他の土地データと異なる表示を行わせる処理を行うことを特徴とする土地沿革調書表示システム。
【請求項１４】
請求項１乃至１３の何れかに記載の土地沿革調書表示システムであって、
前記記憶手段には、前記土地データとして、この土地の測量図に関する測量図データが記憶されており、
前記処理手段は、土地データの表示手段における一の表示領域を設定する際に、測量図データを認識して、該土地データの表示領域、または、この表示領域近傍に、測量図の存在を表示するような処理を行うとともに、作業者からの要求に応じて、この測量図を表示手段に表示する処理を行うことを特徴とする土地沿革調書表示システム。
【請求項１５】
ある時期の地番に関する複数の土地データが、他の土地データと関連づけて記憶されてなる記憶手段と、該記憶手段のデータを抽出し各種処理を行う処理手段と、処理手段からの要求に応じて所望の印刷を行う印刷手段とを備え、
前記処理手段は、一の土地データに関して印刷手段における一の印刷領域を設定するとともに、該土地データに関連づけられた他の土地データが存在する場合には印刷手段における他の印刷領域を設定するとともに、前記一の印刷領域と前記他の印刷領域とを接続する接続線をも印刷するような処理を行うように設けられていることを特徴とする土地沿革調書印刷システム。
【請求項１６】
ある時期の地番に関する複数の土地データが、他の土地データと関連づけて記憶されてなる記憶手段と、該記憶手段のデータを抽出し各種処理を行うとともに印刷手段に対して所望の印刷を行うように要求する処理を行う処理手段とを備え、
前記処理手段は、一の土地データに関して印刷手段における一の印刷領域を設定するとともに、該土地データに関連づけられた他の土地データに印刷手段における他の印刷領域を設定するとともに、前記一の印刷領域と前記他の印刷領域とを接続する接続線をも印刷するような処理を行うように設けられていることを特徴とする土地沿革調書印刷システム。
【請求項１７】
請求項１５または１６記載の土地沿革調書印刷システムであって、
前記処理手段は、複数の土地データの印刷領域を設定した際に、一定のレイアウト枠を超えた印刷となる場合には、前記レイアウト枠を超えた印刷となる土地データを、他のレイアウト枠に移動するとともに該他のレイアウト枠に移動した土地データと関連を有する元のレイアウト枠の土地データとの関連性を表示する関連データも印刷する処理を行うことを特徴とする土地沿革調書印刷システム。
【請求項１８】
請求項１５乃至１７の何れかに記載の土地沿革調書印刷システムであって、
前記記憶手段には、分筆前の土地データと、この土地データが分筆された変更要因データと、この分筆後の複数の土地データに関するデータとが関連づけて記憶されており、
前記処理手段は、前記土地データに関して印刷手段における印刷領域を設定する際に、該土地データの変更要因データを認識して分筆後の土地データの印刷領域を前記分筆前の土地データの印刷領域よりも下流にそれぞれ設定するとともに、前記接続線を前記分筆前の土地データよりも下流側において分岐せしめて印刷するような処理を行うことを特徴とする土地沿革調書印刷システム。
【請求項１９】
請求項１５乃至１８の何れかに記載の土地沿革調書印刷システムであって、
前記記憶手段には、合筆後の土地データと、この土地データに合筆された変更要因データと、この合筆前の複数の土地データに関するデータとが関連づけて記憶されており、
前記処理手段は、土地データに関して印刷手段における印刷領域を設定する際に、該土地データの合筆に関する変更要因データを認識して該変更要因データに関する印刷も行うような処理を行うことを特徴とする土地沿革調書印刷システム。
【請求項２０】
請求項１９に記載の土地沿革調書印刷システムであって、
前記処理手段は、合筆前の複数の土地データのうち一つの土地データの印刷領域と、合筆後の土地データの印刷領域とを前記接続線により接続するように印刷するとともに、前記合筆前の複数の土地データのうち他の土地データの印刷領域に関して合筆され閉鎖されたことを示す印刷を行うように設けられていることを特徴とする土地沿革調書印刷システム。
【請求項２１】
請求項１５乃至１８の何れかに記載の土地沿革調書印刷システムであって、
前記記憶手段には、合筆後の土地データと、この土地データに合筆された変更要因データと、この合筆前の複数の土地データに関するデータとが関連づけて記憶されており、
前記処理手段は、前記土地データに関して印刷手段における印刷領域を設定する際に、該土地データの変更要因データを認識して合筆前の複数の土地データの印刷領域を合筆後の土地データの印刷領域よりも上流にそれぞれ設定するとともに、前記接続線を合筆後の土地データの印刷領域よりも上流側において分岐せしめて印刷するような処理を行うことを特徴とする土地沿革調書印刷システム。
【請求項２２】
請求項１８乃至２１の何れかに記載の土地沿革調書印刷システムであって、
前記記憶手段には、前記変更要因データとして、該土地データに分筆または合筆された時期に関する分筆・合筆時期データが記憶されており、
前記処理手段は、前記印刷手段において分筆・合筆時期データも印刷するような処理を行うことを特徴とする土地沿革調書印刷システム。
【請求項２３】
請求項１５乃至２２の何れかに記載の土地沿革調書印刷システムであって、
前記記憶手段には、一定地域の土地データが他の地域の土地データと区分けされて記憶されており、
前記処理手段は、前記一定地域の土地データを一括で印刷手段において印刷するように設けられていることを特徴とする土地沿革調書印刷システム。
【請求項２４】
請求項１５乃至２３の何れかに記載の土地沿革調書印刷システムであって、
前記記憶手段には、一定地域の土地データが他の地域の土地データと区分けされて記憶されているとともに、この一定地域の時期ごとの地図データが記憶されており、
前記処理手段は、作業者の要求に応じて前記地図データを印刷手段に印刷させるように設けられていることを特徴とする土地沿革調書印刷システム。
【請求項２５】
請求項１５乃至２４の何れかに記載の土地沿革調書印刷システムであって、
前記処理手段は、前記接続線の印刷長さを変更可能に設けられていることを特徴とする土地沿革調書印刷システム。
【請求項２６】
請求項１５乃至２５の何れかに記載の土地沿革調書印刷システムであって、
前記記憶手段には、前記土地データとして、この土地の面積に関する面積データが記憶されており、
前記処理手段は、土地データの印刷手段における一の印刷領域を設定する際に、前記面積データを認識して、該土地データの印刷領域、または、この印刷領域近傍に、土地の面積をも印刷するような処理を行うことを特徴とする土地沿革調書印刷システム。
【請求項２７】
請求項１５乃至２６の何れかに記載の土地沿革調書印刷システムであって、
前記記憶手段には、前記土地データとして、この土地の所有者に関する所有者データが記憶されており、
前記処理手段は、土地データの印刷手段における一の印刷領域を設定する際に、前記所有者データを認識して、該土地データの印刷領域、または、この印刷領域近傍に、土地の所有者をも印刷するような処理を行うことを特徴とする土地沿革調書印刷システム。
【請求項２８】
請求項２７記載の土地沿革調書印刷システムであって、
前記処理手段は、土地データの印刷手段における印刷領域のうち、特定の所有者の土地データについて、他の土地データと異なる印刷を行わせる処理を行うことを特徴とする土地沿革調書印刷システム。
【請求項２９】
請求項１５乃至２８の何れかに記載の土地沿革調書印刷システムであって、
前記記憶手段には、前記土地データとして、この土地の測量図に関する測量図データが記憶されており、
前記処理手段は、土地データの印刷手段における一の印刷領域を設定する際に、測量図データを認識して、該土地データの印刷領域、または、この印刷領域近傍に、測量図の存在を印刷するような処理を行うとともに、作業者からの要求に応じて、この測量図を印刷手段に印刷させる処理を行うことを特徴とする土地沿革調書印刷システム。
【請求項３０】
ある時期の地番に関する複数の土地データが、他の土地データと関連づけて記憶することのできる記憶手段と、作業者が入力処理可能な入力手段と、前記入力手段からの要求等に応じて各種処理を行う処理手段と、処理手段からの要求に応じて所望の表示を行う表示手段とを備え、
前記記憶手段には、表示手段において表示され作業者が入力手段によって土地データを入力可能な土地データ入力フォームが記憶されており、
前記処理手段は、入力手段からの入力に応じて前記土地データ入力フォームを表示手段に表示せしめ、該土地データ入力フォームにおいて入力手段によって入力された土地データを記憶手段に記憶せしめる処理を行うことを特徴とする土地データ入力システム。
【請求項３１】
請求項３０記載の土地データ入力システムであって、
前記記憶手段には、ある時期の地番に関する複数の土地データが、他の土地データと関連づけて記憶されており、
前記処理手段は、
記憶手段に記憶された一の土地データに関して表示手段における一の表示領域を設定し、該土地データに関連づけられた他の土地データに表示手段における他の表示領域を設定するとともに、前記一の表示領域と前記他の表示領域とを接続する接続線を設定した土地沿革調書表示画面を表示手段において表示させる処理を行うとともに、
該沿革調書表示画面において土地データの入力を要求する入力が入力手段によってなされた場合には、前記土地データ入力フォームを表示手段に表示させることを特徴とする土地データ入力システム。
【請求項３２】
請求項３１記載の土地データ入力システムであって、
前記処理手段は、土地データ入力フォームを表示手段に表示する際に、入力手段によって入力を要求された土地データが既に記憶手段に存在する場合には、該記憶手段に記憶されている土地データを前記土地データ入力フォームの該当箇所に表示せしめることを特徴とする土地データ入力システム。
【請求項３３】
請求項３１または３２記載の土地データ入力システムであって、
前記土地沿革調書表示画面には、データの新規登録、データの変更登録、または、データの削除を選択可能に設けられていることを特徴とする土地データ入力システム。
【請求項３４】
請求項３０乃至３２の何れかに記載の土地データ入力システムであって、
前記土地データ入力フォームには、選択された土地データが分筆または合筆されたかを選択可能に設けられていることを特徴とする土地データ入力システム。
【請求項３５】
処理手段を有する土地沿革調書表示システムに読み込まれることにより、処理手段が一定の処理を行う土地沿革調書表示システム用プログラムであって、
前記処理手段が、システムの記憶手段に記憶されたある時期の地番に関する一の土地データに関して表示手段における一の表示領域を設定し、該土地データに関連づけられた他の土地データが記憶手段に存在する場合には表示手段における他の表示領域を設定し、前記一の表示領域と前記他の表示領域とを接続する接続線をも表示するような処理を行うように設けられていることを特徴とする土地沿革調書表示システム用プログラム。
【請求項３６】
請求項３５記載の土地沿革調書表示システム用プログラムであって、
前記処理手段は、前記土地データに関して表示手段における表示領域を設定する際に、記憶手段に該土地データの分筆による変更要因データが存在する場合には、分筆後の土地データに関する表示領域を分筆前の土地データの表示領域よりも下流にそれぞれ設定するとともに、前記接続線を前記分筆前の土地データよりも下流側において分岐せしめて表示するような処理を行うように設けられていることを特徴とする土地沿革調書表示システム用プログラム。
【請求項３７】
請求項３５または３６記載の土地沿革調書表示システム用プログラムであって、
前記処理手段は、土地データに関して表示手段における表示領域を設定する際に、該土地データの合筆に関する変更要因データを認識して該変更要因データに関する表示も行うような処理を行うことを特徴とする土地沿革調書表示システム用プログラム。
【請求項３８】
請求項３７記載の土地沿革調書表示システム用プログラムであって、
前記処理手段が、合筆前の複数の土地データのうち一つの土地データの表示領域と、合筆後の土地データの表示領域とを前記接続線により接続するように表示するとともに、前記合筆前の複数の土地データのうち他の土地データの表示領域に関して合筆され閉鎖されたことを示す表示を行うように設けられていることを特徴とする土地沿革調書表示システム用プログラム。
【請求項３９】
請求項３５または３６記載の土地沿革調書表示システム用プログラムであって、
前記処理手段が、前記土地データに関して表示手段における表示領域を設定する際に、前記記憶手段に該土地データの合筆による変更要因データが存在する場合には、合筆前の複数の土地データの表示領域を合筆後の土地データの表示領域よりも上流にそれぞれ設定するとともに、前記接続線を合筆後の土地データの表示領域よりも上流側において分岐せしめて表示するような処理を行うことを特徴とする土地沿革調書表示システム用プログラム
【請求項４０】
請求項３６乃至３９の何れかに記載の土地沿革調書表示システム用プログラムであって、
前記処理手段が、前記記憶手段に記憶された前記変更要因データとしての分筆または合筆された時期に関する分筆・合筆時期データも表示するような処理を行うように設けられていることを特徴とする土地沿革調書表示システム用プログラム。
【請求項４１】
請求項３５乃至４０の何れかに記載の土地沿革調書表示システム用プログラムであって、
前記処理手段が、前記記憶手段に区分けされて記憶された一定地域の土地データを一括で表示手段に表示する処理を行うように設けられていることを特徴とする土地沿革調書表示システム用プログラム。
【請求項４２】
請求項３５乃至４１の何れかに記載の土地沿革調書表示システム用プログラムであって、
前記処理手段が、作業者の要求に応じて前記記憶手段に記憶された一定地域の時期ごとの地図データを表示手段に表示させる処理を行うように設けられていることを特徴とする土地沿革調書表示システム用プログラム。
【請求項４３】
請求項３５乃至４２の何れかに記載の土地沿革調書表示システム用プログラムであって、
前記処理手段が、前記接続線の表示長さを変更できるように設けられていることを特徴とする土地沿革調書表示システム用プログラム。
【請求項４４】
請求項３５乃至４３の何れかに記載の土地沿革調書表示システム用プログラムであって、
前記処理手段が、土地データの表示手段における一の表示領域を設定する際に、前記記憶手段に記憶された該土地の面積データを抽出して、該土地データの表示領域、または、この表示領域近傍に、土地の面積をも表示するような処理を行うことを特徴とする土地沿革調書表示システム用プログラム。
【請求項４５】
請求項３５乃至４４の何れかに記載の土地沿革調書表示システム用プログラムであって、
前記処理手段が、土地データの表示手段における一の表示領域を設定する際に、前記記憶手段に記憶された該土地の所有者データを認識して、該土地データの表示領域、または、この表示領域近傍に、土地の所有者をも表示するような処理を行うように設けられていることを特徴とする土地沿革調書表示システム用プログラム。
【請求項４６】
請求項４５記載の土地沿革調書表示システム用プログラムであって、
前記処理手段が、土地データの表示手段における表示領域のうち、特定の所有者の土地データについて、他の土地データと異なる表示を行わせる処理を行うように設けられていることを特徴とする土地沿革調書表示システム用プログラム。
【請求項４７】
請求項３５乃至４６の何れかに記載の土地沿革調書表示システム用プログラムであって、
前記処理手段が、土地データの表示手段における一の表示領域を設定する際に、前記記憶手段に該土地の測量図データが存在する場合には、該土地データの表示領域、または、この表示領域近傍に、測量図の存在を表示するような処理を行うとともに、作業者からの要求に応じて、この測量図を表示手段に表示する処理を行うように設けられていることを特徴とする土地沿革調書表示システム用プログラム。
【請求項４８】
処理手段を有する土地沿革調書印刷システムに読み込まれることにより、処理手段が一定の処理を行う土地沿革調書印刷システム用プログラムであって、
前記処理手段が、システムの記憶手段に記憶されたある時期の地番に関する一の土地データに関して印刷手段における一の印刷領域を設定し、該土地データに関連づけられた他の土地データが記憶手段に存在する場合には印刷手段における他の印刷領域を設定し、前記一の印刷領域と前記他の印刷領域とを接続する接続線を印刷手段に印刷させる処理を行うように設けられていることを特徴とする土地沿革調書印刷システム用プログラム。
【請求項４９】
請求項４８記載の土地沿革調書印刷システム用プログラムであって、
前記処理手段が、複数の土地データの印刷領域を設定した際に、一定のレイアウト枠を超えた印刷となる場合には、前記レイアウト枠を超えた印刷となる土地データを、他のレイアウト枠に移動するとともに該他のレイアウト枠に移動した土地データと関連を有する元のレイアウト枠の土地データとの関連性を表示する関連データも印刷する処理を行うように設けられていることを特徴とする土地沿革調書印刷システム用プログラム。
【請求項５０】
請求項４８または４９記載の土地沿革調書印刷システム用プログラムであって、
前記処理手段が、前記土地データに関して印刷手段における印刷領域を設定する際に、記憶手段に該土地データの分筆による変更要因データが存在する場合には、分筆後の土地データの印刷領域を前記分筆前の土地データの印刷領域よりも下流にそれぞれ設定するとともに、前記接続線を前記分筆前の土地データよりも下流側において分岐せしめて印刷するような処理を行うことを特徴とする土地沿革調書印刷システム用プログラム。
【請求項５１】
請求項４８乃至５０の何れかに記載の土地沿革調書印刷システム用プログラムであって、
前記処理手段が、土地データに関して印刷手段における印刷領域を設定する際に、該土地データの合筆に関する変更要因データを認識して該変更要因データに関する印刷する処理を行うことを特徴とする土地沿革調書印刷システム用プログラム。
【請求項５２】
請求項５１に記載の土地沿革調書印刷システム用プログラムであって、
前記処理手段が、合筆前の複数の土地データのうち一つの土地データの印刷領域と、合筆後の土地データの印刷領域とを前記接続線により接続するように印刷するとともに、前記合筆前の複数の土地データのうち他の土地データの印刷領域に関して合筆され閉鎖されたことを示す印刷を行うように設けられていることを特徴とする土地沿革調書印刷システム用プログラム。
【請求項５３】
請求項４８乃至５０の何れかに記載の土地沿革調書印刷システム用プログラムであって、
前記処理手段が、土地データに関して印刷手段における印刷領域を設定する際に、前記記憶手段に土地データの合筆による変更要因データが存在する場合には、合筆前の複数の土地データの印刷領域を合筆後の土地データの印刷領域よりも上流にそれぞれ設定するとともに、前記接続線を合筆後の土地データの印刷領域よりも上流側において分岐せしめて印刷する処理を行うように設けられていることを特徴とする土地沿革調書印刷システム用プログラム。
【請求項５４】
請求項５０乃至５２の何れかに記載の土地沿革調書印刷システム用プログラムであって、
前記処理手段が、前記記憶手段に記憶された分筆・合筆時期データも印刷させる処理を行うように設けられていることを特徴とする土地沿革調書印刷システム用プログラム。
【請求項５５】
請求項４８乃至５４の何れかに記載の土地沿革調書印刷システム用プログラムであって、
前記処理手段が、前記記憶手段に区分けされて記憶された一定地域の土地データを一括で印刷手段で印刷する処理を行うように設けられていることを特徴とする土地沿革調書印刷システム用プログラム。
【請求項５６】
請求項４８乃至５５の何れかに記載の土地沿革調書印刷システム用プログラムであって、
前記処理手段が、作業者の要求に応じて前記記憶手段に記憶された一定地域の時期ごとの地図データを印刷手段に印刷させる処理を行うように設けられていることを特徴とする土地沿革調書印刷システム用プログラム。
【請求項５７】
請求項４８乃至５６の何れかに記載の土地沿革調書印刷システム用プログラムであって、
前記処理手段が、前記接続線の印刷長さを変更可能に設けられていることを特徴とする土地沿革調書印刷システム用プログラム。
【請求項５８】
請求項４８乃至５７の何れかに記載の土地沿革調書印刷システム用プログラムであって、
前記記憶手段には、前記土地データとして、この土地の面積に関する面積データが記憶されており、
前記処理手段が、土地データの印刷手段における一の印刷領域を設定する際に、前記記憶手段に記憶された該土地の面積データを抽出して、該土地データの印刷領域、または、この印刷領域近傍に、土地の面積をも印刷するような処理を行うように設けられていることを特徴とする土地沿革調書印刷システム用プログラム。
【請求項５９】
請求項４８乃至５８の何れかに記載の土地沿革調書印刷システム用プログラムであって、
前記処理手段が、土地データの印刷手段における一の印刷領域を設定する際に、前記記憶手段に記憶された該土地の所有者データを認識して、該土地データの印刷領域、または、この印刷領域近傍に、土地の所有者をも印刷するような処理を行うように設けられていることを特徴とする土地沿革調書印刷システム用プログラム。
【請求項６０】
請求項５９記載の土地沿革調書印刷システム用プログラムであって、
前記処理手段が、土地データの印刷手段における印刷領域のうち、特定の所有者の土地データについて、他の土地データと異なる印刷を行わせる処理を行うように設けられていることを特徴とする土地沿革調書印刷システム用プログラム。
【請求項６１】
請求項４８乃至６０の何れかに記載の土地沿革調書印刷システム用プログラムであって、
前記処理手段が、土地データの印刷手段における一の印刷領域を設定する際に、前記記憶手段に該土地の測量図データが存在する場合には、該土地データの印刷領域、または、この印刷領域近傍に、測量図の存在を印刷するような処理を行うとともに、作業者からの要求に応じて、この測量図を印刷手段に印刷させる処理を行うように設けられていることを特徴とする土地沿革調書印刷システム用プログラム。
【請求項６２】
処理手段を有する土地データ入力システムに読み込まれることにより、処理手段が一定の処理を行う土地データ入力システム用プログラムであって、
システムの表示手段において表示され作業者がシステムの入力手段によって土地データを入力可能な土地データ入力フォームを有し、
前記処理手段が、前記入力手段からの入力に応じて前記土地データ入力フォームを前記表示手段に表示せしめ、該土地データ入力フォームにおいて前記入力手段によって入力された土地データをシステムの記憶手段に記憶せしめる処理を行うように設けられていることを特徴とする土地データ入力システム用プログラム。
【請求項６３】
請求項６２記載の土地データ入力システム用プログラムであって、
前記処理手段が、
前記記憶手段に記憶された一の土地データに関して表示手段における一の表示領域を設定し、該土地データに関連づけられた他の土地データに表示手段における他の表示領域を設定するとともに、前記一の表示領域と前記他の表示領域とを接続する接続線を設定した土地沿革調書表示画面を前記表示手段において表示させる処理を行うとともに、
該沿革調書表示画面において土地データの入力を要求する入力が前記入力手段によってなされた場合には、前記土地データ入力フォームを前記表示手段に表示させる処理を行うように設けられていることを特徴とする土地データ入力システム用プログラム。
【請求項６４】
請求項６３記載の土地データ入力システム用プログラムであって、
前記処理手段が、土地データ入力フォームを前記表示手段に表示する際に、前記入力手段によって入力を要求された土地データが既に前記記憶手段に存在する場合には、該記憶手段に記憶されている土地データを前記土地データ入力フォームの該当箇所に表示せしめる処理を行うように設けられていることを特徴とする土地データ入力システム用プログラム。
【請求項６５】
請求項６３または６４記載の土地データ入力システム用プログラムであって、
前記土地沿革調書表示画面には、データの新規登録、データの変更登録、または、データの削除を選択可能に設けられていることを特徴とする土地データ入力システム用プログラム。
【請求項６６】
請求項６３乃至６５の何れかに記載の土地データ入力システム用プログラムであって、
前記土地データ入力フォームには、選択された土地データが分筆または合筆されたかを選択可能に設けられていることを特徴とする土地データ入力システム用プログラム。
【請求項６７】
請求項３５乃至６６の何れかに記載のプログラムが記録されてなる記録媒体。
【請求項６８】
システムの記憶手段に、ある時期の地番に関する複数の土地データを、他の土地データと関連づけて記憶させておき、システムの処理手段によって該記憶手段のデータを抽出して表示手段に対して所望の表示を行わせる土地沿革調書の表示方法であって、
前記処理手段が、一の土地データに関して表示手段における一の表示領域を設定し、該土地データに関連づけられた他の土地データが存在する場合には表示手段における他の表示領域を設定し、前記一の表示領域と前記他の表示領域とを接続する接続線をも表示する処理を行うことを特徴とする土地沿革調書表示方法。
【請求項６９】
請求項６８記載の土地沿革調書表示方法であって、
前記記憶手段に、分筆前の土地データと、該土地データが分筆された変更要因データと、この分筆後の複数の土地データに関するデータとを関連づけて記憶させておき、
前記処理手段が、前記土地データに関して表示手段における表示領域を設定する際に、該土地データの変更要因データを認識して分筆後の土地データの表示領域を前記分筆前の土地データの表示領域よりも下流にそれぞれ設定するとともに、前記接続線を前記分筆前の土地データよりも下流側において分岐せしめて表示するような処理を行うことを特徴とする土地沿革調書表示方法。
【請求項７０】
請求項６８または６９記載の土地沿革調書表示方法であって、
前記記憶手段に、合筆後の土地データと、該土地データに合筆された変更要因データと、この合筆前の複数の土地データに関するデータとを関連づけて記憶させておき、
前記処理手段が、前記土地データに関して表示手段における表示領域を設定する際に、該土地データの合筆に関する変更要因データを認識して該変更要因データに関する表示も行うような処理を行うことを特徴とする土地沿革調書表示方法。
【請求項７１】
請求項７０記載の土地沿革調書表示方法であって、
前記処理手段が、合筆前の複数の土地データのうち一つの土地データの表示領域と、合筆後の土地データの表示領域とを前記接続線により接続するように表示するとともに、前記合筆前の複数の土地データのうち他の土地データの表示領域に関して合筆され閉鎖されたことを示す表示を行うことを特徴とする土地沿革調書表示方法。
【請求項７２】
請求項６８または６９記載の土地沿革調書表示方法であって、
前記記憶手段に、合筆後の土地データと、この土地データに合筆された変更要因データと、この合筆前の複数の土地データに関するデータとが関連づけて記憶させておき、
前記処理手段が、前記土地データに関して表示手段における表示領域を設定する際に、該土地データの変更要因データを認識して合筆前の複数の土地データの表示領域を合筆後の土地データの表示領域よりも上流にそれぞれ設定するとともに、前記接続線を合筆後の土地データの表示領域よりも上流側において分岐せしめて表示するような処理を行うことを特徴とする土地沿革調書表示方法。
【請求項７３】
請求項６９乃至７２の何れかに記載の土地沿革調書表示方法であって、
前記記憶手段に、前記変更要因データとして、分筆または合筆された時期に関する分筆・合筆時期データを記憶させておき、
前記処理手段が、前記表示手段において分筆・合筆時期データも表示する処理を行うことを特徴とする土地沿革調書表示方法。
【請求項７４】
請求項６８乃至７３の何れかに記載の土地沿革調書表示方法であって、
前記記憶手段に、一定地域の土地データを他の地域の土地データと区分けして記憶させておき、
前記処理手段が、前記一定地域の土地データを一括で表示手段に表示する処理を行うことを特徴とする土地沿革調書表示方法。
【請求項７５】
請求項６８乃至７４の何れかに記載の土地沿革調書表示方法であって、
前記記憶手段に、一定地域の土地データを他の地域の土地データと区分けして記憶させるとともに、この一定地域の時期ごとの地図データを記憶させておき、
前記処理手段が、作業者の要求に応じて前記地図データを表示手段に表示する処理を行うことを特徴とする土地沿革調書表示方法。
【請求項７６】
請求項６８乃至７５の何れかに記載の土地沿革調書表示方法であって、
前記処理手段が、作業者の要求等に応じて、前記接続線の表示長さを変更することを特徴とする土地沿革調書表示方法。
【請求項７７】
請求項６８乃至７６の何れかに記載の土地沿革調書表示方法であって、
前記記憶手段には、前記土地データとして、この土地の面積に関する面積データを記憶させておき、
前記処理手段が、土地データの表示手段における一の表示領域を設定する際に、前記面積データを認識して、該土地データの表示領域、または、この表示領域近傍に、土地の面積をも表示する処理を行うことを特徴とする土地沿革調書表示方法。
【請求項７８】
請求項６８乃至７７の何れかに記載の土地沿革調書表示方法であって、
前記記憶手段には、前記土地データとして、この土地の所有者に関する所有者データを記憶させておき、
前記処理手段が、土地データの表示手段における一の表示領域を設定する際に、前記所有者データを認識して、該土地データの表示領域、または、この表示領域近傍に、土地の所有者をも表示する処理を行うことを特徴とする土地沿革調書表示方法。
【請求項７９】
請求項７８記載の土地沿革調書表示方法であって、
前記処理手段が、土地データの表示手段における表示領域のうち、特定の所有者の土地データについて、他の土地データと異なる表示を行わせる処理を行うことを特徴とする土地沿革調書表示方法。
【請求項８０】
請求項６８乃至７９の何れかに記載の土地沿革調書表示方法であって、
前記記憶手段には、前記土地データとして、この土地の測量図に関する測量図データを記憶させておき、
前記処理手段が、土地データの表示手段における一の表示領域を設定する際に、測量図データを認識して、該土地データの表示領域、または、この表示領域近傍に、測量図の存在を表示するような処理を行うとともに、作業者からの要求に応じて、この測量図を表示手段に表示する処理を行うことを特徴とする土地沿革調書表示方法。
【請求項８１】
システムの記憶手段に、ある時期の地番に関する複数の土地データを、他の土地データと関連づけて記憶させておき、システムの処理手段によって該記憶手段のデータを抽出して印刷手段に対して所望の印刷を行わせる土地沿革調書の印刷方法であって、
前記処理手段が、一の土地データに関して印刷手段における一の印刷領域を設定し、該土地データに関連づけられた他の土地データが存在する場合には印刷手段における他の印刷領域を設定し、前記一の印刷領域と前記他の印刷領域とを接続する接続線をも印刷する処理を行うことを特徴とする土地沿革調書印刷方法。
【請求項８２】
請求項８１記載の土地沿革調書印刷方法であって、
前記処理手段が、複数の土地データの印刷領域を設定した際に、一定のレイアウト枠を超えた印刷となる場合には、前記レイアウト枠を超えた印刷となる土地データを、他のレイアウト枠に移動するとともに該他のレイアウト枠に移動した土地データと関連を有する元のレイアウト枠の土地データとの関連性を表示する関連データも印刷する処理を行うことを特徴とする土地沿革調書印刷方法。
【請求項８３】
請求項８１または８２記載の土地沿革調書印刷方法であって、
前記記憶手段に、分筆前の土地データと、この土地データが分筆された変更要因データと、この分筆後の複数の土地データに関するデータとが関連づけて記憶させておき、
前記処理手段が、前記土地データに関して印刷手段における印刷領域を設定する際に、該土地データの変更要因データを認識して分筆後の土地データの印刷領域を前記分筆前の土地データの印刷領域よりも下流にそれぞれ設定するとともに、前記接続線を前記分筆前の土地データよりも下流側において分岐せしめて印刷するような処理を行うことを特徴とする土地沿革調書印刷方法。
【請求項８４】
請求項８１乃至８３の何れかに記載の土地沿革調書印刷方法であって、
前記記憶手段に、合筆後の土地データと、この土地データに合筆された変更要因データと、この合筆前の複数の土地データに関するデータとが関連づけて記憶させておき、
前記処理手段が、土地データに関して印刷手段における印刷領域を設定する際に、該土地データの合筆に関する変更要因データを認識して該変更要因データに関する印刷も行うような処理を行うことを特徴とする土地沿革調書印刷方法。
【請求項８５】
請求項８４記載の土地沿革調書印刷方法であって、
前記処理手段が、合筆前の複数の土地データのうち一つの土地データの印刷領域と、合筆後の土地データの印刷領域とを前記接続線により接続するように印刷するとともに、前記合筆前の複数の土地データのうち他の土地データの印刷領域に関して合筆され閉鎖されたことを示す印刷を行うことを特徴とする土地沿革調書印刷方法。
【請求項８６】
請求項８１乃至８３の何れかに記載の土地沿革調書印刷方法であって、
前記記憶手段には、合筆後の土地データと、この土地データに合筆された変更要因データと、この合筆前の複数の土地データに関するデータとが関連づけて記憶させておき、
前記処理手段は、前記土地データに関して印刷手段における印刷領域を設定する際に、該土地データの変更要因データを認識して合筆前の複数の土地データの印刷領域を合筆後の土地データの印刷領域よりも上流にそれぞれ設定するとともに、前記接続線を合筆後の土地データの印刷領域よりも上流側において分岐せしめて印刷するような処理を行うことを特徴とする土地沿革調書印刷方法。
【請求項８７】
請求項８３乃至８６の何れかに記載の土地沿革調書印刷方法であって、
前記記憶手段には、前記変更要因データとして、該土地データに分筆または合筆された時期に関する分筆・合筆時期データを記憶させておき、
前記処理手段が、前記印刷手段において分筆・合筆時期データも印刷する処理を行うことを特徴とする土地沿革調書印刷方法。
【請求項８８】
請求項８１乃至８７の何れかに記載の土地沿革調書印刷方法であって、
前記記憶手段には、一定地域の土地データを他の地域の土地データと区分けして記憶させておき、
前記処理手段が、前記一定地域の土地データを一括で印刷手段に印刷する処理を行うことを特徴とする土地沿革調書印刷方法。
【請求項８９】
請求項８１乃至８８の何れかに記載の土地沿革調書印刷方法であって、
前記記憶手段には、一定地域の土地データを他の地域の土地データと区分けして記憶させておくとともに、この一定地域の時期ごとの地図データを記憶させており、
前記処理手段が、作業者の要求に応じて前記地図データを印刷手段に印刷する処理を行うことを特徴とする土地沿革調書印刷方法。
【請求項９０】
請求項８１乃至８９の何れかに記載の土地沿革調書印刷方法であって、
前記処理手段が、作業者の要求等に応じて前記接続線の印刷長さを変更する処理を行うことを特徴とする土地沿革調書印刷方法。
【請求項９１】
請求項８１乃至９０の何れかに記載の土地沿革調書印刷方法であって、
前記記憶手段には、前記土地データとして、この土地の面積に関する面積データを記憶させておき、
前記処理手段が、土地データの印刷手段における一の印刷領域を設定する際に、前記面積データを認識し、該土地データの印刷領域、または、この印刷領域近傍に、土地の面積をも印刷する処理を行うことを特徴とする土地沿革調書印刷方法。
【請求項９２】
請求項８１乃至９１の何れかに記載の土地沿革調書印刷方法であって、
前記記憶手段には、前記土地データとして、この土地の所有者に関する所有者データを記憶させておき、
前記処理手段が、土地データの印刷手段における一の印刷領域を設定する際に、前記所有者データを認識し、該土地データの印刷領域、または、この印刷領域近傍に、土地の所有者をも印刷する処理を行うことを特徴とする土地沿革調書印刷方法。
【請求項９３】
請求項９２記載の土地沿革調書印刷方法であって、
前記処理手段は、土地データの印刷手段における印刷領域のうち、特定の所有者の土地データについて、他の土地データと異なる印刷を行わせる処理を行うことを特徴とする土地沿革調書印刷方法。
【請求項９４】
請求項８１乃至９３の何れかに記載の土地沿革調書印刷方法であって、
前記記憶手段には、前記土地データとして、この土地の測量図に関する測量図データを記憶させておき、
前記処理手段が、土地データの印刷手段における一の印刷領域を設定する際に、測量図データを認識し、該土地データの印刷領域、または、この印刷領域近傍に、測量図の存在を印刷するような処理を行うとともに、作業者からの要求に応じて、この測量図を印刷手段に印刷させる処理を行うことを特徴とする土地沿革調書印刷方法。
【請求項９５】
システムの記憶手段に、ある時期の地番に関する複数の土地データを、他の土地データと関連づけて記憶させるべく、システムの処理手段が、システムの入力手段によって作業者が入力した土地データを前記記憶手段に記憶させる土地データ入力方法であって、
前記記憶手段には、表示手段において表示され作業者が入力手段によって土地データを入力可能な土地データ入力フォームを記憶させておき、
前記処理手段が、入力手段からの入力に応じて前記土地データ入力フォームをシステムの表示手段に表示せしめ、該土地データ入力フォームにおいて入力手段によって入力された土地データを記憶手段に記憶せしめる処理を行うことを特徴とする土地データ入力方法。
【請求項９６】
請求項９５記載の土地データ入力方法であって、
前記記憶手段には、ある時期の地番に関する複数の土地データを、他の土地データと関連づけて記憶させておき、
前記処理手段が、
記憶手段に記憶された一の土地データに関して表示手段における一の表示領域を設定し、該土地データに関連づけられた他の土地データに表示手段における他の表示領域を設定するとともに、前記一の表示領域と前記他の表示領域とを接続する接続線を設定した土地沿革調書表示画面を表示手段において表示させる処理を行うとともに、
該沿革調書表示画面において土地データの入力を要求する入力が入力手段によってなされた場合には、前記土地データ入力フォームを表示手段に表示させる処理を行うことを特徴とする土地データ入力方法。
【請求項９７】
請求項９６記載の土地データ入力方法であって、
前記処理手段が、土地データ入力フォームを表示手段に表示する際に、入力手段によって入力を要求された土地データが既に記憶手段に存在する場合には、該記憶手段に記憶されている土地データを前記土地データ入力フォームの該当箇所に表示せしめる処理を行うことを特徴とする土地データ入力方法。
【請求項９８】
請求項９５または９７記載の土地データ入力方法であって、
前記土地沿革調書表示画面には、データの新規登録、データの変更登録、または、データの削除を選択可能に設けられていることを特徴とする土地データ入力方法。
【請求項９９】
請求項９６乃至９８の何れかに記載の土地データ入力方法であって、
前記土地データ入力フォームには、選択された土地データが分筆または合筆されたかを選択可能に設けられていることを特徴とする土地データ入力方法。
【発明の詳細な説明】
【技術分野】
【０００１】
この発明は、たとえば分筆、合筆が繰り返し行われ、土地の沿革が煩雑になっている土地に関する情報を容易に視認者が理解できる土地沿革調書を表示または印刷することができる土地沿革調書表示システムおよび土地沿革調書印刷システムに関するものである。
【背景技術】
【０００２】
現在、法務局において保管されている土地台帳付属地図（以下、単に「公図」という）は、その土地の位置・形状などを示すものとして広く用いられているものの、実際の土地の現状と一致していないケースが存在する。このように実際の現状と一致していない場合には、その土地の過去の土地台帳や地積測量図を調書したうえで公図訂正を申出する必要がある。
【０００３】
しかるに、土地に関するデータは、古くは明治時代からのデータも存在し、その土地の分筆・合筆などの情報は極めて多岐に渡ることが多く、そのような場合には、土地に関する沿革を記載した書面がなければ理解が困難であり、このような書面は前述の土地台帳などを参考にして人為的に作成する必要があったが、かかる作業は極めて煩雑である。
【発明の開示】
【発明が解決しようとする課題】
【０００４】
そこで、この発明は上記従来の欠点に鑑みてなされたものであって、この発明は、たとえば分筆、合筆が繰り返し行われ、沿革が複雑になっている土地に関する情報を容易に視認者が理解できる土地沿革調書を表示画面に表示または印刷することのできる土地沿革調書表示システムおよび土地沿革調書印刷システムを提供することを課題とする。
【課題を解決するための手段】
【０００５】
本願発明は上記の課題を解決すべくなされたものであり、本願発明に係る土地沿革調書表示システムは、ある時期の地番に関する複数の土地データが、他の土地データと関連づけて記憶されてなる記憶手段、該記憶手段のデータを抽出し各種処理を行う処理手段、および、該処理手段からの要求に応じて所望の表示を行う表示手段を備え、前記処理手段は、一の土地データに関して表示手段における一の表示領域を設定するとともに、該土地データに関連づけられた他の土地データが存在する場合には表示手段における他の表示領域を設定するとともに、前記一の表示領域と前記他の表示領域とを接続する接続線をも表示するような処理を行うように設けられていることを特徴とする。
【０００６】
また、本願発明に係る土地沿革調書表示システムは、ある時期の地番に関する複数の土地データが、他の土地データと関連づけて記憶されてなる記憶手段、および、該記憶手段のデータを抽出し各種処理を行うとともに表示手段に対して所望の表示を行うように要求する処理を行う処理手段を備え、前記処理手段は、一の土地データに関して表示手段における一の表示領域を設定するとともに、該土地データに関連づけられた他の土地データに表示手段における他の表示領域を設定するとともに、前記一の表示領域と前記他の表示領域とを接続する接続線をも表示するような処理を行うように設けられていることを特徴とする。
【０００７】
さらに、本願発明に係る土地沿革調書表示システム用プログラムは、土地沿革調書表示システムに読み込まれることにより、処理手段が一定の処理を行う土地沿革調書表示システム用プログラムであって、前記処理手段が、システムの記憶手段に記憶されたある時期の地番に関する一の土地データに関して表示手段における一の表示領域を設定し、該土地データに関連づけられた他の土地データが記憶手段に存在する場合には表示手段における他の表示領域を設定し、前記一の表示領域と前記他の表示領域とを接続する接続線をも表示するような処理を行うように設けられていることを特徴とする。
【０００８】
また、本願発明に係る土地沿革調書表示方法は、システムの記憶手段に、ある時期の地番に関する複数の土地データを、他の土地データと関連づけて記憶させておき、システムの処理手段によって該記憶手段のデータを抽出して表示手段に対して所望の表示を行わせる土地沿革調書の表示方法であって、前記処理手段が、一の土地データに関して表示手段における一の表示領域を設定し、該土地データに関連づけられた他の土地データが存在する場合には表示手段における他の表示領域を設定し、前記一の表示領域と前記他の表示領域とを接続する接続線をも表示する処理を行うことを特徴とする。
【０００９】
上記構成からなる本願発明にあっては、一の土地データとこれと関連性を有する他の土地データとが接続線をもって関連性が示された状態で表示手段において表示されるため、視認者が容易にこれらの関連性を認識することができ、このため、分筆や合筆がなされた土地であっても、表示手段の表示からこれらの関連性を認識することができる。
【００１０】
なお、本願発明にあっては、土地データが分筆や合筆された場合に、分筆・合筆前の土地データと分筆・合筆後の土地データとを関連付けさせることができ、具体的には以下の構成を採用することができる。
【００１１】
つまり、本願発明にあっては、記憶手段に、分筆前の土地データと、この土地データが分筆された変更要因データと、この分筆後の複数の土地データに関するデータとが関連づけて記憶させ、処理手段が、前記土地データに関して表示手段における表示領域を設定する際に、該土地データの変更要因データを認識して分筆後の土地データの表示領域を前記分筆前の土地データの表示領域よりも下流にそれぞれ設定するとともに、前記接続線を前記分筆前の土地データよりも下流側において分岐せしめて表示するような処理を行う構成を採用することができる。これにより、分筆された情報を視認者が容易に認識することができる。
【００１２】
また、前記記憶手段に、合筆後の土地データと、この土地データに合筆された変更要因データと、この合筆前の複数の土地データに関するデータとが関連づけて記憶させ、処理手段が、土地データに関して表示手段における表示領域を設定する際に、該土地データの合筆に関する変更要因データを認識して該変更要因データに関する表示も行うような処理を行う構成を採用することができる。これにより、合筆された情報を視認者が容易に認識することが可能となる。
【００１３】
また、該構成を採用した場合には、前記処理手段は、合筆前の複数の土地データのうち一つの土地データの表示領域と、合筆後の土地データの表示領域とを前記接続線により接続するように表示するとともに、前記合筆前の複数の土地データのうち他の土地データの表示領域に関して合筆され閉鎖されたことを示す表示する構成を採用することが好ましい。これにより、合筆された複雑な関連を有する土地の情報を、視認者が認識しやすいような状態で表示を行うことが可能となる。
【００１４】
なお、記憶手段に、合筆後の土地データと、この土地データに合筆された変更要因データと、この合筆前の複数の土地データに関するデータとが関連づけて記憶させ、処理手段が、土地データに関して表示手段における表示領域を設定する際に、該土地データの変更要因データを認識して合筆前の複数の土地データの表示領域を合筆後の土地データの表示領域よりも上流にそれぞれ設定するとともに、前記接続線を合筆後の土地データの表示領域よりも上流側において分岐せしめて表示するような処理を行う構成を採用することも可能である。
【００１５】
さらに、上記のように記憶手段に変更要因データが記憶されている場合には、この分筆または合筆された時期に関する分筆・合筆時期データも記憶させ、処理手段が、表示手段において分筆・合筆時期データも表示するような処理を行う構成を採用することが好ましい。これにより、視認者は、この分筆・合筆が生じた時期についても容易に認識することができる。なお、この分筆・合筆時期データは、前記分岐点の近傍に表示することが好ましい。
【００１６】
また、本願発明にあっては、前記記憶手段には、一定地域の土地データが他の地域の土地データと区分けされて記憶されており、処理手段は、前記一定地域の土地データを一括で表示手段に表示する構成を採用することが好ましい。
【００１７】
これにより、一定地域の土地データの変遷が一括で認識することができる。なお、一定地域の土地データとしては、たとえば地番の一部が共通するような地域とすることかできる。
【００１８】
また、上記のように一定地域の土地データが他の地域の土地データと区分けされて記憶手段に記憶されている場合には、記憶手段にこの一定地域の時期ごとの地図データを記憶させておき、処理手段が、作業者の要求に応じて前記地図データを表示手段に表示させるように設けられていることが好ましい。これにより、時期ごとのその土地の変遷を地図データとして視認者が認識することができる。なお、一定地域の時期ごとの地図データは、時期ごとの各土地の所有者や分筆・合筆後の状態を示す図面から構成することができる。
【００１９】
さらに、処理手段が、接続線の表示長さを変更可能に設けられていることが好ましく、これにより、視認者がより視認しやすい表示画面を得ることができ、たとえば前述のように一定地域の土地データを一括表示する場合には特に有効である。なお、処理手段が接続線の表示長さを変更する条件設定は、作業者が入力手段によって表示長さの変更を指示する場合のほか、たとえば表示する土地データの数に応じて処理手段が独自で変更する場合とすることもできる。
【００２０】
また、本願発明にあっては、記憶手段には、前記土地データとして、この土地の面積に関する面積データが記憶されており、前記処理手段は、土地データの表示手段における一の表示領域を設定する際に、前記面積データを認識して、該土地データの表示領域、または、この表示領域近傍に、土地の面積をも表示するような処理を行う構成を採用することができる。これにより、視認者がその土地の面積を容易に知ることができる。
【００２１】
また、本願発明にあっては、記憶手段には、前記土地データとして、この土地の所有者に関する所有者データが記憶されており、処理手段は、土地データの表示手段における一の表示領域を設定する際に、前記所有者データを認識して、該土地データの表示領域、または、この表示領域近傍に、土地の所有者をも表示するような処理を行う構成を採用することができる。これにより、視認者が容易にその土地の所有者を知ることができる。
【００２２】
さらに、上記構成を採用した場合には、処理手段が、土地データの表示手段における表示領域のうち、特定の所有者の土地データについて、他の土地データと異なる表示を行わせる処理を行う構成を採用することが好ましい。これにより、各土地データを接続線をもって表示している画面においても、特定の所有者がその土地を獲得した変遷した事実を容易に把握することができる。
【００２３】
また、本願発明にあっては、記憶手段には、前記土地データとして、この土地の測量図に関する測量図データが記憶されており、処理手段が、土地データの表示手段における一の表示領域を設定する際に、測量図データを認識して、該土地データの表示領域、または、この表示領域近傍に、測量図の存在を表示するような処理を行うとともに、作業者からの要求に応じて、この測量図を表示手段に表示する処理を行う構成を採用することが好ましい。これにより、視認者は測量図の有無を容易に知ることができるとともに、その測量図も確認することが容易となる。
【００２４】
また、本願発明に係る土地沿革調書印刷システムは、ある時期の地番に関する複数の土地データが、他の土地データと関連づけて記憶されてなる記憶手段と、該記憶手段のデータを抽出し各種処理を行う処理手段と、処理手段からの要求に応じて所望の印刷を行う印刷手段とを備え、前記処理手段は、一の土地データに関して印刷手段における一の印刷領域を設定するとともに、該土地データに関連づけられた他の土地データが存在する場合には印刷手段における他の印刷領域を設定するとともに、前記一の印刷領域と前記他の印刷領域とを接続する接続線をも印刷するような処理を行うように設けられていることを特徴とする。
【００２５】
また、本願発明に係る土地沿革調書印刷システムは、ある時期の地番に関する複数の土地データが、他の土地データと関連づけて記憶されてなる記憶手段と、該記憶手段のデータを抽出し各種処理を行うとともに印刷手段に対して所望の印刷を行うように要求する処理を行う処理手段とを備え、前記処理手段は、一の土地データに関して印刷手段における一の印刷領域を設定するとともに、該土地データに関連づけられた他の土地データに印刷手段における他の印刷領域を設定するとともに、前記一の印刷領域と前記他の印刷領域とを接続する接続線をも印刷するような処理を行うように設けられていることを特徴とする。
【００２６】
また、本願発明に係る土地沿革調書印刷システム用プログラムは、処理手段を有する土地沿革調書印刷システムに読み込まれることにより、処理手段が一定の処理を行う土地沿革調書印刷システム用プログラムであって、前記処理手段が、システムの記憶手段に記憶されたある時期の地番に関する一の土地データに関して印刷手段における一の印刷領域を設定し、該土地データに関連づけられた他の土地データが記憶手段に存在する場合には印刷手段における他の印刷領域を設定し、前記一の印刷領域と前記他の印刷領域とを接続する接続線を印刷手段に印刷させる処理を行うように設けられていることを特徴とする。
【００２７】
また、本願発明に係る土地沿革調書印刷方法は、システムの記憶手段に、ある時期の地番に関する複数の土地データを、他の土地データと関連づけて記憶させておき、システムの処理手段によって該記憶手段のデータを抽出して印刷手段に対して所望の印刷を行わせる土地沿革調書の印刷方法であって、前記処理手段が、一の土地データに関して印刷手段における一の印刷領域を設定し、該土地データに関連づけられた他の土地データが存在する場合には印刷手段における他の印刷領域を設定し、前記一の印刷領域と前記他の印刷領域とを接続する接続線をも印刷する処理を行うことを特徴とする。
【００２８】
上記構成からなる本願発明にあっては、一の土地データとこれと関連性を有する他の土地データとが接続線をもって関連性が示された状態で印刷されるため、視認者が容易にこれらの関連性を認識することができ、このため、分筆や合筆がなされた土地であっても、印刷された表示からこれらの関連性を容易に認識することができる。
【００２９】
また、本願発明にあっては、処理手段が、複数の土地データの印刷領域を設定した際に、一定のレイアウト枠を超えた印刷となる場合には、前記レイアウト枠を超えた印刷となる土地データを、他のレイアウト枠に移動するとともに該他のレイアウト枠に移動した土地データと関連を有する元のレイアウト枠の土地データとの関連性を表示する関連データも印刷する処理を行う構成を採用することが好ましい。
【００３０】
これにより、多数の土地データを印刷する際などにおいて、仮に一定のレイアウト枠を超えた場合であっても、各土地データの関連性を失わない状態で印刷することができる。なお、一定のレイアウト枠を超えた場合に印刷する他のレイアウト枠としては、たとえば他のページとすることができるとともに、一定のレイアウト枠において印刷されていない部分とすることもできる。さらに、関連性を示すための関連データとしては、たとえば新たなレイアウト枠に前のレイアウト枠に印刷した土地データを再度印刷する方法や、前のレイアウト枠に印刷された接続線と他のレイアウト枠に印刷された接続線とのそれぞれ付近に同一番号を印刷する方法など種々の方法が考えられる。
【００３１】
なお、本願発明にあっては、土地データが分筆や合筆された場合に、分筆・合筆前の土地データと分筆・合筆後の土地データとを関連付けさせることができ、具体的には以下の構成を採用することができる。
【００３２】
つまり、本願発明にあっては、記憶手段に、分筆前の土地データと、この土地データが分筆された変更要因データと、この分筆後の複数の土地データに関するデータとを関連づけて記憶させ、処理手段が、土地データに関して印刷手段における印刷領域を設定する際に、該土地データの変更要因データを認識して分筆後の土地データの印刷領域を前記分筆前の土地データの印刷領域よりも下流にそれぞれ設定するとともに、前記接続線を前記分筆前の土地データよりも下流側において分岐せしめて印刷するような処理を行う構成を採用することができる。
【００３３】
また、記憶手段に、合筆後の土地データと、この土地データに合筆された変更要因データと、この合筆前の複数の土地データに関するデータとを関連づけて記憶させ、処理手段が、土地データに関して印刷手段における印刷領域を設定する際に、該土地データの合筆に関する変更要因データを認識して該変更要因データに関する印刷も行うような処理を行う構成を採用することができる。また、かかる構成を採用した場合には、処理手段が、合筆前の複数の土地データのうち一つの土地データの印刷領域と、合筆後の土地データの印刷領域とを前記接続線により接続するように印刷するとともに、前記合筆前の複数の土地データのうち他の土地データの印刷領域に関して合筆され閉鎖されたことを示す印刷を行う構成を採用することが好ましく、これにより視認者が容易に合筆の事実を知ることができる。
【００３４】
なお、本願発明にあっては、記憶手段に、合筆後の土地データと、この土地データに合筆された変更要因データと、この合筆前の複数の土地データに関するデータとが関連づけて記憶させ、処理手段が、土地データに関して印刷手段における印刷領域を設定する際に、該土地データの変更要因データを認識して合筆前の複数の土地データの印刷領域を合筆後の土地データの印刷領域よりも上流にそれぞれ設定するとともに、前記接続線を合筆後の土地データの印刷領域よりも上流側において分岐せしめて印刷する構成を採用することも可能である。
【００３５】
さらに、上記のように記憶手段に変更要因データが記憶されている場合には、分筆または合筆された時期に関する分筆・合筆時期データも記憶されるように構成し、処理手段が、印刷手段において分筆・合筆時期データも印刷するような処理を行う構成を採用することが好ましい。これにより、視認者は、この分筆・合筆が生じた時期についても容易に認識することができる。なお、この分筆・合筆時期データは、前記分岐点の近傍に印刷することが好ましい。
【００３６】
また、本願発明にあっては、前記記憶手段には、一定地域の土地データが他の地域の土地データと区分けされて記憶されており、処理手段は、前記一定地域の土地データを一括で印刷する構成を採用することが好ましい。
【００３７】
これにより、一定地域の土地データの変遷が一括で認識することができる。なお、一定地域の土地データとしては、たとえば地番の一部が共通するような地域とすることかできる。
【００３８】
また、上記のように一定地域の土地データが他の地域の土地データと区分けされて記憶手段に記憶されている場合には、記憶手段にこの一定地域の時期ごとの地図データを記憶させておき、処理手段が、作業者の要求に応じて前記地図データを印刷手段に印刷させるように設けられていることが好ましい。これにより、時期ごとのその土地の変遷を地図データとして視認者が認識することができる。なお、一定地域の時期ごとの地図データは、時期ごとの各土地の所有者や分筆・合筆後の状態を示す図面から構成することができる。
【００３９】
さらに、処理手段が、接続線の印刷長さを変更可能に設けられていることが好ましく、これにより、視認者がより視認しやすい印刷画面を得ることができ、たとえば前述のように一定地域の土地データを一括表示する場合には特に有効である。なお、処理手段が接続線の印刷長さを変更する条件設定は、作業者が入力手段によって表示長さの変更を指示する場合のほか、たとえば印刷する土地データの数に応じて処理手段が独自で変更する場合とすることもできる。
【００４０】
また、本願発明にあっては、記憶手段には、前記土地データとして、この土地の面積に関する面積データが記憶されており、前記処理手段は、土地データの印刷手段における印刷領域を設定する際に、前記面積データを認識して、該土地データの印刷領域、または、この印刷領域近傍に、土地の面積をも表示するような処理を行う構成を採用することができる。これにより、視認者がその土地の面積を容易に知ることができる。
【００４１】
また、本願発明にあっては、記憶手段には、前記土地データとして、この土地の所有者に関する所有者データが記憶されており、処理手段は、土地データの印刷手段における印刷領域を設定する際に、前記所有者データを認識して、該土地データの印刷領域、または、この印刷領域近傍に、土地の所有者をも印刷するような処理を行う構成を採用することができる。これにより、視認者が容易にその土地の所有者を知ることができる。
【００４２】
さらに、上記構成を採用した場合には、処理手段が、土地データの印刷手段における印刷領域のうち、特定の所有者の土地データについて、他の土地データと異なる印刷を行わせる処理を行う構成を採用することが好ましい。これにより、各土地データを接続線をもって印刷した印刷面をみて、特定の所有者がその土地を獲得した変遷した事実を容易に把握することができる。
【００４３】
また、本願発明にあっては、記憶手段には、前記土地データとして、この土地の測量図に関する測量図データが記憶されており、処理手段が、土地データの印刷手段における一の印刷領域を設定する際に、測量図データを認識して、該土地データの印刷領域、または、この印刷領域近傍に、測量図の存在を印刷するような処理を行うとともに、作業者からの要求に応じて、この測量図を印刷手段に印刷させる処理を行う構成を採用することが好ましい。これにより、視認者は測量図の有無を容易に知ることができるとともに、その測量図も確認することが容易となる。
【００４４】
また、本願発明に係る土地データ入力システムは、ある時期の地番に関する複数の土地データが、他の土地データと関連づけて記憶することのできる記憶手段と、作業者が入力処理可能な入力手段と、前記入力手段からの要求等に応じて各種処理を行う処理手段と、処理手段からの要求に応じて所望の表示を行う表示手段とを備え、前記記憶手段には、表示手段において表示され作業者が入力手段によって土地データを入力可能な土地データ入力フォームが記憶されており、前記処理手段は、入力手段からの入力に応じて前記土地データ入力フォームを表示手段に表示せしめ、該土地データ入力フォームにおいて入力手段によって入力された土地データを記憶手段に記憶せしめる処理を行うことを特徴とする。
【００４５】
さらに、本願発明に係る土地データ入力システム用プログラムは、処理手段を有する土地データ入力システムに読み込まれることにより、処理手段が一定の処理を行う土地データ入力システム用プログラムであって、システムの表示手段において表示され作業者がシステムの入力手段によって土地データを入力可能な土地データ入力フォームを有し、前記処理手段が、前記入力手段からの入力に応じて前記土地データ入力フォームを前記表示手段に表示せしめ、該土地データ入力フォームにおいて前記入力手段によって入力された土地データをシステムの記憶手段に記憶せしめる処理を行うように設けられていることを特徴とする。
【００４６】
また、本願発明に係る土地データ入力方法は、システムの記憶手段に、ある時期の地番に関する複数の土地データを、他の土地データと関連づけて記憶させるべく、システムの処理手段が、システムの入力手段によって作業者が入力した土地データを前記記憶手段に記憶させる土地データ入力方法であって、前記記憶手段には、表示手段において表示され作業者が入力手段によって土地データを入力可能な土地データ入力フォームを記憶させておき、前記処理手段が、入力手段からの入力に応じて前記土地データ入力フォームをシステムの表示手段に表示せしめ、該土地データ入力フォームにおいて入力手段によって入力された土地データを記憶手段に記憶せしめる処理を行うことを特徴とする。
【００４７】
上記構成からなる本願発明にあっては、土地データ入力フォームを用いて容易に土地データを入力することができ、このように入力されたデータをもとに既述の本願発明に係る表示方法・印刷方法を用いることができる。
【００４８】
さらに、本願発明にあっては、前記記憶手段に、ある時期の地番に関する複数の土地データが、他の土地データと関連づけて記憶させておき、前記処理手段が、記憶手段に記憶された一の土地データに関して表示手段における一の表示領域を設定し、該土地データに関連づけられた他の土地データに表示手段における他の表示領域を設定するとともに、前記一の表示領域と前記他の表示領域とを接続する接続線を設定した土地沿革調書表示画面を表示手段において表示させる処理を行うとともに、該沿革調書表示画面において土地データの入力を要求する入力が入力手段によってなされた場合には、前記土地データ入力フォームを表示手段に表示させる構成を採用することが好ましい。
【００４９】
これにより、既述の本願発明に係る表示方法による表示に基づいて容易に入力作業を行うことができる。なお、前記土地沿革調書の表示は、既述の本願発明の方法により表示することができる。つまり、たとえば、処理手段が、土地データに関して表示手段における表示領域を設定する際に、該土地データの変更要因データを認識して分筆後の土地データの表示領域を前記分筆前の土地データの表示領域よりも下流にそれぞれ設定するとともに、前記接続線を前記分筆前の土地データよりも下流側において分岐せしめて表示するような処理を行う構成などを採用することができる。
【００５０】
また、上記構成を採用した場合にあっては、処理手段が、土地データ入力フォームを表示手段に表示する際に、入力手段によって入力を要求された土地データが既に記憶手段に存在する場合には、該記憶手段に記憶されている土地データを前記土地データ入力フォームの該当箇所に表示せしめる構成を採用することが好ましい。これにより、既に記憶手段に記憶されているデータを容易に知ることができるとともに、この記憶手段のデータを容易に変更することができる。
【００５１】
また、前記土地沿革調書表示画面には、データの新規登録、データの変更登録、または、データの削除を選択可能に設けられていることが好ましく、これにより各データの変更等が容易に行いうるという利点を有する。
【００５２】
また、前記土地データ入力フォームには、選択された土地データが分筆または合筆されたかを選択可能に設けられている構成を採用することが好ましく、これにより変更要因を容易に選択して、簡便にデータ入力することができる。
【発明を実施するための最良の形態】
【００５３】
以下、本願発明の一実施形態について、図面を参酌しつつ以下説明するが、まず、本願発明に係る土地沿革調書参照システムおよびその利用方法について説明する。
【００５４】
本実施形態のシステムは、種々のデータが記憶されたハードディスク記憶部等の記憶手段１００（データベース）、及び、該記憶手段１００のデータについて各種の処理を行うＣＰＵ等からなる処理手段１１０を有している。また、該システムは、キーボード、マウス等の入力手段１２０、モニター等の表示手段１３０を有している。さらに、該システムは、ＣＤ−ＲＯＭ読取装置などの読取手段１４０を有している。
【００５５】
前記記憶手段１００には、ある時期の地番に関する複数の土地データが、他の土地データとの関連づけられた土地データテーブルが設けられており、該土地データテーブルにおける土地データとしては、その土地の現状に関するデータが含まれ、具体的には、図２に示すように、その土地の住所コード、現地番、および、現名称（たとえば「○町」）に関するデータが記憶されている。なお、本実施形態においては、一定の区域の複数の土地データを、他の土地データと区分けすべく、前記複数の土地データのうち起点となるべき土地データに対して起点情報を持たせており、この起点情報を持った土地データに関連性を有する土地データが前述の一定区域の複数の土地データとなり、この一定区域の複数の土地データが土地沿革調書として表示・印刷されることになる。なお、住所コード等に基づいて、一定区域の土地データが他の地域の土地データと区分けされるように設けることも本願発明の意図する範囲内であり、また、一定区域の複数の土地データに対して区分を峻別するためのデータを持たせることも本願発明において適宜設計変更可能な事項である。
【００５６】
また、該土地データとしては、その土地の面積も記憶されている。さらに、該土地データとして、その土地の所有者およびその所有者の取得年月日も記憶されている。なお、所有者に関する土地データとして、その者を特定する識別文字列により所有者に関するデータとすることも適宜設計変更可能な事項である。
【００５７】
また、土地データとして、その土地が分筆合筆された変更要因データが記憶されており、具体的には、この変更要因データとしてはその分合筆の年月日が記憶されている。さらに、この変更要因データとしては、本実施形態においては、分筆前(変更前)の情報が記憶されており、具体的には、分筆前の旧地番、旧名称が記憶されている。また、変更要因データとしては、本実施形態においては、合筆前（変更前）の情報が記憶されており、具体的には、合筆前の複数の土地の旧地番および面積データが記憶されている。
【００５８】
また、土地データの変更要因データとして、本実施形態においては変更前（分筆または合筆される前）の情報が記憶されており、具体的には、旧地番、旧名称等の旧土地データに関するデータが記憶されていることを説明したが、変更後のデータを変更要因データとすることも可能であり、この場合には、新地番や新名称などの新土地データに関するデータを変更要因データとすることができる。また、変更前のデータと変更後のデータの双方を変更要因データとすることも適宜設計変更可能な事項である。
【００５９】
また、本実施形態においては、各土地データについての識別文字列として階層表示である地番階層が採用されており、具体的には、分筆または合筆されるごとに枝番を付与している。また、前記土地データとしては、この土地データの地番階層とともに、この土地データの分筆または合筆される前の土地データの地番階層（旧地番階層）も記憶されている。なお、上述のように変更後のデータを変更要因データとする場合には、変更後の地番階層（新地番階層）を記憶するように設けることが可能である。
【００６０】
さらに、記憶手段には、各土地データに関する測量図データがイメージデータとして保存されており、前記土地データとしては、この土地に関する測量図が存在する場合には、その測量図の記憶手段における保存場所が測量図データとして記憶されている。
【００６１】
また、記憶手段には、土地データに対する土地調書データがイメージデータとして保存されており、前記土地データとしては、この土地に関する土地調書が存在する場合には、その土地調書の記憶手段における保存場所が土地調書データとして記憶されている。
【００６２】
また、記憶手段には、各住所コードに相当する地域の時期ごとの沿革地図がイメージデータとして保存されている。この沿革地図は、図３に示すように、分筆や合筆される度にその地域の所有者等を地図表記してなるものである。また、前記土地データとしては、この土地に関する沿革地図が存在する場合には、その沿革地図の記憶手段における保存場所が地図データとして記憶されている。
【００６３】
さらに、前記土地データとしては、その地番が閉鎖されている場合には、閉鎖情報（閉鎖区分）が記憶される。ここで、閉鎖情報としては、合筆された複数の旧土地データのうち、ひとつを除く土地データが閉鎖された土地データとして記憶されるように記憶されており、合筆により閉鎖された土地データについては、合筆された情報が前記閉鎖情報として記憶されるように設けられている。
【００６４】
また、記憶手段には、一定の地域を特定するために用いられる地域特定データテーブルが設けられており、本実施形態においては、図４に示すように、都道府県データテーブルと、市郡データテーブルと、区データテーブルと、町データテーブルと、番地データテーブルとが設けられており、都道府県データテーブルには、都道府県に関する一定のコードと、都道府県名とが記憶され、市郡データテーブルには、市郡町村に関する一定のコードと、市郡名とが記憶され、区データテーブルには、その区の一定のコードと、町名とが記憶され、町データテーブルには、その区の一定のコードと、町名とが記憶され、番地データテーブルには、その番地の住所コードと、番地名とが記憶されている。なお、前記都道府県のコード等の各コードは、同一の番地に関するものが一定の関連性をもっている（上何桁が共通している）。また、各データテーブルには、旧コードおよび旧名称も記憶できるように設けられている。そして、前記処理手段は、都道府県が特定された場合には、該当する市郡名を抽出して表示手段に表示し、さらに、市郡が特定された場合には、該当する町名（もしくは区名）を抽出し表示手段に表示し、さらに、町名が特定された場合には、該当する番地を表示し、作業者が特定の地域を特定できるように設けられている。
【００６５】
さらに、記憶手段には、一定の地域を特定するために用いられる路線特定データテーブルが設けられており、本実施形態においては、図５に示すように、路線データテーブルと、駅名データテーブルと、駅間データテーブルとが設けられており、路線データテーブルには、各鉄道の路線名称および路線コードが記憶され、駅名データテーブルには、駅名および駅コードが記憶され、駅間データテーブルには、二つの駅名およびその駅間コードが記憶されている。なお、前記路線コードと、駅名コード及び駅間コードとは、一定の関連性がもたされている。また、前記駅名データテーブルおよび駅間データテーブルには、該当する土地データの住所コードが記憶されており、駅名または駅間により指定された場合には、該当する住所（市町村番地名称）が処理手段によって抽出されるように設けられている。
【００６６】
また、前記記憶手段には、システムに読み込まれることにより、処理手段が以下の処理を行うようなプログラムが記憶されている。
【００６７】
前記処理手段は、作業者による入力手段からの入力によって一定の地域が特定され且つ土地沿革調書の表示が求められた場合、該当地域の土地データを抽出し、各土地データの表示領域を特定し、表示手段に対して表示させる処理を行うように設けられている(図６参照)。この表示領域の特定に際しては、処理手段は、起点情報を有する土地データを最上流（図示例では左側）に設定し、地番階層が下位のものを下流側に順次設定していく。つまり、本実施形態においては、該当する各土地データについて、起点情報を持つ土地データから下位の土地データを順次認識して、それぞれの土地データの表示領域を設定していくことになる。
【００６８】
そして、処理手段は、一の土地データの表示領域と、この土地データに関連を有する他の土地データの表示領域と、これらの表示領域を接続する接続線とを表示手段に対して表示させる処理を行うように設けられている。ここで、処理手段は、分筆された情報がある場合には、該接続線を下流側において分岐させて、分岐させた接続線を下流側の土地データの表示領域にそれぞれ接続し、また、合筆された情報がある場合には、合筆前の土地データのうち一つの土地データの表示領域と合筆後の土地データの表示領域とを接続線をもって接続するとともに、合筆前の他の土地データの表示領域に閉鎖情報としてのバツ印を表示するように設けられている。なお、図示例にあっては、前記接続線は、完全に土地データの表示領域に接した状態のものを図示しているが、視認者が両者の関連性を有するような接続線であれば足りる。
【００６９】
また、処理手段は、前記接続線の表示長さを変更可能に設けられており、作業者が入力手段から表示長さの変更を要望した場合に行われるように設けられている。なお、この変更は、表示画面中の全ての接続線を変更できるように設けるほか、個別の接続線のみの表示長さを変更できるように設けることも可能である。さらには、たとえば、表示すべき土地データが一定数以上である場合において、プログラムに記憶された表示長さに処理手段が自動的に変更するように設けることも可能である。
【００７０】
また、処理手段は、前記土地データテーブルから分合筆の年月日も抽出し、前記分岐点の近傍に該年月日も表示させるような処理を行うように設けられている。また、この年月日の表示の近傍に、変更の要因となった事実（たとえば「分筆」）も表示されるように設けられている。また処理手段は、その土地データが合筆に伴い生じたものである場合には、その土地データの表示領域の近傍に合筆の事実を表示する処理を行い、さらに作業者が合筆の事実に関して詳細な情報を求めた場合には、合筆前の土地に関するデータ（地番および面積）を表示するように設けられている。
【００７１】
また、処理手段は、前記土地データテーブルから、所有者、取得年月日、および、面積を抽出して、これらを該土地データの表示領域近傍に表示するような処理を行うように設けられている。さらに、処理手段は、土地データの表示手段における表示領域のうち、作業者が特定した所有者の土地データについて、他の土地データと異なる表示（たとえば、色を変更する等）を行わせる処理を行うように設けられている。
【００７２】
さらに、処理手段は、前記土地データテーブルに、測量図データが存在する場合には、該土地データの表示領域近傍に、測量図の存在を表示するような処理を行うように設けられている。さらに、処理手段は、該測量図の存在を表示する部位を作業者が入力手段によって特定した場合に、この測量図を記憶手段から抽出して、表示手段に表示する処理を行うように設けられている。
【００７３】
また、処理手段は、前記土地データテーブルに、測量図データが存在する場合には、該土地データの表示領域近傍に、測量図の存在を表示するような処理を行うように設けられている。さらに、処理手段は、該測量図の存在を表示する部位を作業者が入力手段によって特定した場合に、この測量図を記憶手段から抽出して、表示手段に表示する処理を行うように設けられている。
【００７４】
また、記憶手段には、各住所コードに相当する地域の時期ごとの沿革地図がイメージデータとして保存されている。この沿革地図は、図３に示すように、分筆や合筆される度にその地域の所有者等を地図表記してなるものである。また、前記土地データとしては、この土地に関する沿革地図が存在する場合には、その沿革地図の記憶手段における保存場所が地図データとして記憶されている。
【００７５】
さらに、処理手段は、前記土地データテーブルに、閉鎖情報（閉鎖区分）が存在する場合には、該土地データが閉鎖されている情報（図示例では、この土地データの表示領域に×印を付している）を表示するように設けられている。また、閉鎖情報が合筆により閉鎖されている場合には、その合筆後の地番データ及び合筆年月日が合筆により閉鎖された土地データの表示領域の近傍に表示されるように設けられている。
【００７６】
また、処理手段は、作業者が土地データの所有者の変更に関するデータを要求した場合には、その所有者変更に関するデータを表示手段において表示するように設けられており、ここでは、特定の土地に関するデータを表示するように設けたり、一定範囲内の土地データの所有者変更のデータを表示するように設けることが可能である。
【００７７】
なお、前述のような土地沿革調書の表示は、記憶手段に記憶された土地沿革調書表示フォームのもとになされ（図６参照）、作業者による入力手段からの入力によって土地沿革調書の表示が求められた場合に、処理手段は、記憶手段から土地沿革調書表示フォームを抽出し、表示手段に表示させるように設けられている。
【００７８】
また、該土地沿革調書表示フォームは、土地沿革調書を表示する領域において、スクロール表示が可能に設けられている。さらに、この土地沿革調書表示フォームは、土地沿革調書を表示する領域外において、一定地域を特定するための選択領域が設けられており、具体的には、都道府県の選択領域、市郡の選択領域、区の選択領域、町の選択領域および番地の選択領域が設けられており、上位の項目を作業者が入力手段によって選択すると、処理手段は、選択された項目の地域に含まれる下位の項目を各データテーブルが抽出し、作業者が選択できるように表示手段に表示できるように設けられている。
また、該土地沿革調書表示フォームには、土地沿革調書を表示する領域外において、前記沿革図および土地調書に関する領域が設けられており、作業者による入力手段からの入力によって沿革図または土地調書の表示が求められた場合に、処理手段は、記憶手段から沿革図または土地調書を抽出し、表示手段に表示させるように設けられている。
【００７９】
また、処理手段は、前記接続線および各土地データの表示領域の長さ・大きさを変更可能に設けられており、具体的には、作業者の選択により表示領域の縮小・拡大を選択して表示手段に表示できるように設けられている。
【００８０】
さらに、処理手段は、作業者による入力手段からの要求によって、前述の表示手段における土地調書の表示を印刷手段に印刷させる処理を行うように設けられている。
【００８１】
ここで、処理手段は、前記土地沿革調書における接続線の長さを変更可能に設けられており、印刷すべき土地データが一定数以上である場合において、プログラムに記憶された表示長さに処理手段が自動的に変更するように設けられている。なお、この接続線の印刷長さは、作業者が入力手段から表示長さの変更を要望した場合に行われるように設けることも可能である。また、処理手段が土地沿革調書が一定以上の大きさとなったと判断した場合に、土地沿革調書を自動的に印刷可能な領域に縮小して印刷手段に印刷させるように設けることも可能である。
【００８２】
さらに、処理手段は、土地沿革調書を印刷する際に、一定の印刷レイアウト枠を超えた印刷となるかを判断し、前記印刷レイアウト枠を超える場合には、前記印刷レイアウト枠を超えた印刷となる土地データを、他の印刷レイアウト枠に移動するとともに該他の印刷レイアウト枠に移動した土地データと関連を有する元の印刷レイアウト枠の土地データとの関連性を表示する関連データも印刷する処理を行うように設けられている。具体的には、本実施形態においては、一枚目の印刷用紙を土地データが超えた場合には、一枚目の印刷用紙に印刷された最終の土地データについて「次頁につづく」旨の印刷を行うとともに、二枚目の印刷用紙に前記一枚目の印刷用紙に印刷された最終の土地データを印刷するように設けられている。なお、一枚目の印刷用紙を土地データが超えた場合には、一枚目の印刷用紙に印刷された最終の土地データから下流側に接続線を印刷し、この下流の接続線と合致する接続線を二枚目の印刷用紙に印刷し、一枚目の接続線と二枚目の接続線とを記号（たとえば「※１」など）等により関連性が分かるようにすることも可能である。また、印刷レイアウト枠として、一枚目の印刷全体として空白部分が存在する場合には、この空白部分を前記「他の印刷レイアウト枠」とすることも可能である。なお、一定の印刷レイアウト枠を超えた印刷となる場合に、この印刷レイアウト枠の土地データを次の印刷レイアウト枠（二枚目の印刷用紙）に再度印刷し、再度印刷している事実を別途印刷するように設けることも本願発明の意図する範囲内であり適宜設計変更可能な事項である。
【００８３】
次に、本願発明に係る土地データ入力システムについて説明する。
【００８４】
本実施形態の入力システムは、既述の参照システムと同様のデータが記憶されたハードディスク記憶部等の記憶手段２００（データベース）、及び、該記憶手段２００のデータについて各種の処理を行うＣＰＵ等からなる処理手段２１０を有し、さらに、キーボード、マウス等の入力手段２２０、モニター等の表示手段２３０、ＣＤ−ＲＯＭ読取装置などの読取手段２４０を有している。なお、この入力システムと参照システムとは同一のシステムを用い、使用者ごとに入力システムおよび参照システムの双方を使えるユーザと、参照システムのみを利用できるユーザとを区別するように設けることも可能であり、具体的には、ＩＤとパスワードにより使用者を特定して前記入力システムとしての使用権限をシステムが判断するように設けることが可能である。
【００８５】
前記記憶手段２００には、既述の参照システムと同様のデータが記憶されているとともに、表示手段において表示され作業者が入力手段によって各種土地データを入力可能な土地データ入力フォーム（図７参照）が記憶されている。この土地データ入力フォームには、入力する土地データが起点地番に関する情報であるのか否かを選択できる項目が設けられており、起点地番に関する情報として入力された場合には、この入力された土地データは、起点情報を持った状態で記憶され、一定区域の複数の土地データの起点として用いられることになる。
【００８６】
また、記憶手段には、既述のシステムの土地沿革調書フォームと略同様の土地沿革調書参照フォーム（図８参照）が記憶されており、この土地沿革調書参照フォームは、前記土地沿革調書フォームと異なり、データの新規登録、データの変更登録、または、データの削除を作業者が選択可能な領域が設けられている。
【００８７】
また、処理手段は、作業者による入力手段の操作によってデータの入力が要求されると、前記土地沿革調書参照フォームを表示手段に表示させるように設けられている。そして、この土地沿革調書参照フォームにおいて、作業者による入力手段の操作によって一定の地域が特定されると、処理手段は、土地沿革調書参照フォームを表示手段に表示させる処理を行うように設けられている。また、処理手段は、この特定された地域の土地データが既に記憶手段に存在するか否かを判断し、存在する場合には、土地沿革調書参照フォームにおいて既存の参照システムと同様の土地沿革調書を表示せしめる。なお、処理手段は、特定された地域の土地データが存在しない場合には、単に土地沿革調書参照フォームを表示手段に表示させる処理を行うように設けられている。
【００８８】
上記のように表示手段に土地沿革調書が表示された場合、作業者による入力手段の操作によって、変更または入力したい土地データを選択して、その土地データについてデータの変更登録、または、データの削除の何れを行うかを選択し、データの削除が要求された場合には選択された土地データに関するデータを処理手段は記憶手段から削除する処理を行うように設けられている。
【００８９】
また、データの変更登録が要求された場合には、処理手段は、記憶手段から土地データ入力フォーム(図７参照)、および、この土地データを抽出するとともに、この土地データ入力フォームにおいて土地データを表示手段に表示させる処理を行うように設けられている。そして、作業者が入力手段によって所望のデータについて入力手段によって変更を入力した場合には、処理手段は、その変更したデータを記憶手段に記憶させるように設けられている。
【００９０】
また、作業者による入力手段の操作によって、新規登録が要求された場合には、処理手段は、記憶手段から土地データ入力フォームを抽出して表示手段に表示させ、作業者が入力手段によって所望のデータについて入力手段によって入力したデータを記憶手段に記憶させるように設けられている。
【００９１】
また、データの変更登録の要求として「合筆」のデータ（合筆前のデータ）の入力が求められた場合には、合筆データ入力フォームを表示手段に表示させる処理を処理手段が行うように設けられている。ここで、処理手段は既に合筆前データ（旧地番および面積データ）が入力されている場合にはそのデータを表示させるとともに、新たに追加する合筆前データを入力（選択）可能に設けられており、このようにして入力されたデータを記憶手段に記憶するように設けられている。
【００９２】
また、データの変更登録の要求として「所有者変更」のデータの入力が求められた場合には、所有者変更データ入力フォームを表示手段に表示させる処理を処理手段が行うように設けられている。そして、処理手段は、新たな所有者（および所有に至った年月日）が入力手段によって入力された際には新たな土地データとして記憶手段に記憶するように設けられている。
【００９３】
以上、本願発明の一実施形態について説明したが、本願発明はこれに限定されるものではなく、本願発明の意図する範囲内において適宜設計変更可能である。
【００９４】
つまり、本願発明にあっては、たとえば前記土地データが記憶された記憶手段に対して複数の参照システムおよび入力システムがネットワークシステムを介して接続できるように設けることもでき、さらに、前記入力システム（または参照システム）の記憶手段への接続に一定条件（たとえばパスワードの入力など）を設定することも適宜設計変更可能な事項である。
【図面の簡単な説明】
【００９５】
【図１】本願発明の本実施形態の土地沿革調書表示システムおよび土地沿革調書印刷システムのシステム構造を示す概略的説明図である。
【図２】同実施形態において用いられる土地データのデータ構造を説明するための概略的説明図である。
【図３】同実施形態において用いられる沿革地図の概略的説明図である。
【図４】同実施形態において用いられる地域特定データのデータ構造を説明するための概略的説明図である。
【図５】同実施形態において用いられる路線特定データのデータ構造を説明するための概略的説明図である。
【図６】同実施形態の土地沿革調書表示システムにおいて表示される土地沿革調書表示フォームである。
【図７】同実施形態の土地沿革調書入力システムにおいて表示される土地データ入力フォームである。
【図８】同実施形態の土地沿革調書入力システムにおいて表示される土地沿革調書参照フォームである。
【符号の説明】
【００９６】
１００,２００  記憶手段
１１０,２１０  処理手段
１２０,２２０  入力手段
１３０,２３０  表示手段
１４０,２４０  読取手段
【図３】
2006350482.tif 000003
【図１】
2006350482.tif 000004
【図２】
2006350482.tif 000005
【図４】
2006350482.tif 000006
【図５】
2006350482.tif 000007
【図６】
2006350482.tif 000008
【図７】
2006350482.tif 000009
【図８】
2006350482.tif 000010